(57)【要約】【課題】バッテリ残量の残時間表示をより正確に行えるようにすることを目的とする。【解決手段】バッテリ５１により電源が供給される撮像装置において、このバッテリ５１から充放電電流積算情報を取得するための通信手段２２、７３と、この撮像装置１０の消費電力情報を予め記憶する記憶手段２３と、この受信した充放電電流積算情報とこの消費電力情報に基づいて、このバッテリ５１によるこの撮像装置１０の使用可能時間を演算する演算手段２３と、この使用可能時間を表示する表示手段１６と、被写体を撮像する撮像手段と、この撮像手段により撮像された画像を再生する再生手段とを備え、この記憶手段２３は、少なくとも、この撮像手段による撮像動作の消費電力情報とこの再生手段による再生動作の消費電力情報とを予め記憶するようにするものである。【選択図】図１
2007020203.tif 000002
【特許請求の範囲】
【請求項１】
バッテリにより電源が供給される撮像装置において、
前記バッテリから充放電電流積算情報を取得するための通信手段と、
前記撮像装置の消費電力情報を予め記憶する記憶手段と、
前記受信した充放電電流積算情報と前記消費電力情報に基づいて、前記バッテリによる前記撮像装置の使用可能時間を演算する演算手段と、
前記使用可能時間を表示する表示手段と、
被写体を撮像する撮像手段と、
前記撮像手段により撮像された画像を再生する再生手段とを備え、
前記記憶手段は、少なくとも、前記撮像手段による撮像動作の消費電力情報と前記再生手段による再生動作の消費電力情報とを予め記憶すること
を特徴とする撮像装置。
【請求項２】
バッテリにより電源が供給される電子機器において、
前記バッテリを充電する充電手段と、
前記バッテリから充放電電流積算情報を取得するための通信手段と、
前記電子機器の消費電力情報を予め記憶する記憶手段と、
前記受信した充放電電流積算情報と前記消費電力情報に基づいて、前記バッテリによる前記電子機器の使用可能時間を演算する演算手段と、
前記使用可能時間表示する表示手段とを備え、
前記表示手段は、液晶表示部と前記液晶表示部に光を照射するバックライトとを有し、
前記記憶手段は、前記バックライトの明るさに応じた複数の前記消費電力情報を予め記憶すること
を特徴とする電子機器。
【請求項３】
バッテリにより電源が供給される撮像装置のバッテリ残量の使用可能時間表示方法において、
前記バッテリから充放電電流積算情報を取得するための通信ステップと、
前記撮像装置の消費電力情報を予め記憶する記憶ステップと、
前記受信した充放電電流積算情報と前記消費電力情報に基づいて、前記バッテリによる前記撮像装置の使用可能時間を演算する演算ステップと、
前記使用可能時間を表示する表示ステップと、
被写体を撮像する撮像ステップと、
前記撮像ステップにより撮像された画像を再生する再生ステップとを備え、
前記記憶ステップは、少なくとも、前記撮像ステップによる撮像動作の消費電力情報と前記再生ステップによる再生動作の消費電力情報とを予め記憶すること
を特徴とする撮像装置のバッテリ残量の使用可能時間表示方法。
【請求項４】
バッテリにより電源が供給される電子機器のバッテリ残量の使用可能時間表示方法において、
前記バッテリを充電する充電ステップと、
前記バッテリから充放電電流積算情報を取得するための通信ステップと、
前記電子機器の消費電力情報を予め記憶する記憶ステップと、
前記受信した充放電電流積算情報と前記消費電力情報に基づいて、前記バッテリによる前記電子機器の使用可能時間を演算する演算ステップと、
前記使用可能時間表示する表示ステップとを備え、
前記表示ステップは、液晶表示部と前記液晶表示部に光を照射するバックライトとを有し、
前記記憶ステップは、前記バックライトの明るさに応じた複数の前記消費電力情報を予め記憶すること
を特徴とする電子機器のバッテリ残量の使用可能時間表示方法。
【発明の詳細な説明】
【技術分野】
【０００１】
本発明は、電子スチルカメラ、ビデオカメラ等の撮像装置、この撮像装置のバッテリ残量の使用可能時間表示方法及び電子機器、この電子機器のバッテリ残量の使用可能時間表示方法に関する。
【背景技術】
【０００２】
従来、電子スチルカメラは被写体を撮像し記録する機器本体と、機器本体に対して電源を供給するバッテリパックとを備えている。
【０００３】
この電子スチルカメラを構成する機器本体は、被写体を撮像する撮像部と、撮像部で撮像された情報信号を記録媒体に記録する記録部と、撮像部が撮像している被写体を表示する液晶表示パネルよりなる表示部とを備えている。
【０００４】
またこの機器本体の電源となるバッテリパックは、この機器本体に対して着脱可能となされており、交換することができると共にこのバッテリパックのバッテリセルが外部に設けたＡＣパワーアダプタの電流により充電できる如くなされている。
【０００５】
またこの種の電子スチルカメラには携帯使用時利用者に今後、何時間撮影等を行うことができることを知らせるためにバッテリパックのバッテリ残量を表示部に表示できる如くなされている。
【０００６】
このバッテリパックのバッテリ残量の表示はこの電子スチルカメラの常時の消費電力とバッテリパックのバッテリセルを満充電したときの充電容量とより単位時間等を算出し、現在の残充電量を検出して演算を行い残時間表示を行っている。
【発明の開示】
【発明が解決しようとする課題】
【０００７】
然しながら、利用者がこの表示装置としての液晶表示パネルのバックライトの明るさを最大（明るい）にして、この電子スチルカメラを使用したときと、この液晶表示パネルのバックライトの明るさを最小（暗い）にして使用したときのこの電子スチルカメラの消費電力とを比較すると大きく変わる。
【０００８】
即ち、利用者が、この液晶表示パネルのバックライトの明るさを変更させると、この電子スチルカメラが消費する電力が変化し、利用者が満充電したバッテリパックを用いてこの電子スチルカメラを使用できる時間が異なるのに、このことを考慮せずバッテリ残量の残時間表示しているので、この残時間表示が正確にできない不都合があった。
【０００９】
このことは、従来は電子スチルカメラの液晶表示パネルのバックライトの明るさが変化しても、バッテリ残量の残時間表示を変化させなかったため、バッテリ残量の残時間表示を正確に利用者に提示できない不都合があった。
【００１０】
また斯る電子スチルカメラのバッテリパックのバッテリセルは一般にＡＣパワーアダプタを接続することにより本体内充電ができる如くなされている。この本体内充電はバッテリセルの満充電を検出した後、電流を周期的に流しこの電流を少ししか流さないトリクル充電にモードを遷移させて充電を行っていた。
【００１１】
このバッテリパックのバッテリセルを満充電検出後にトリクル充電を行っていても、満充電のバッテリセルを常に充電することになるため、このバッテリセルを劣化することになり、このバッテリセルが劣化したときには、このバッテリセルの満充電時の充電容量が異なり、このバッテリパックのバッテリセルの劣化によってもバッテリ残量の正確な残時間表示が提示できなくなる不都合があった。
【００１２】
本発明は、斯る点に鑑み、バッテリ残量の残時間表示をより正確に行えるようにすることを目的とする。
【課題を解決するための手段】
【００１３】
本発明撮像装置は、バッテリにより電源が供給される撮像装置において、このバッテリから充放電電流積算情報を取得するための通信手段と、この撮像装置の消費電力情報を予め記憶する記憶手段と、この受信した充放電電流積算情報とこの消費電力情報に基づいて、このバッテリによるこの撮像装置の使用可能時間を演算する演算手段と、この使用可能時間を表示する表示手段と、被写体を撮像する撮像手段と、この撮像手段により撮像された画像を再生する再生手段とを備え、この記憶手段は、少なくとも、この撮像手段による撮像動作の消費電力情報とこの再生手段による再生動作の消費電力情報とを予め記憶するようにするものである。
【００１４】
また、本発明電子機器は、バッテリにより電源が供給される電子機器において、このバッテリを充電する充電手段と、このバッテリから充放電電流積算情報を取得するための通信手段と、この電子機器の消費電力情報を予め記憶する記憶手段と、この受信した充放電電流積算情報とこの消費電力情報に基づいて、このバッテリによるこの電子機器の使用可能時間を演算する演算手段と、この使用可能時間表示する表示手段とを備え、この表示手段は、液晶表示部とこの液晶表示部に光を照射するバックライトとを有し、この記憶手段は、このバックライトの明るさに応じた複数のこの消費電力情報を予め記憶するようにするものである。
【発明の効果】
【００１５】
本発明によれば、少なくとも、この撮像手段による撮像動作の消費電力情報とこの再生手段による再生動作の消費電力情報とを予め記憶するか又はバックライトの明るさに応じた複数のこの消費電力情報を予め記憶するようにしたので、バッテリ残量の残時間表示をより正確に行える。
【発明を実施するための最良の形態】
【００１６】
以下、図面を参照して本発明撮像装置、撮像装置のバッテリ残量の使用可能時間表示方法、電子機器及び電子機器のバッテリ残量の使用可能時間表示方法を実施するための最良の形態の例につき説明しよう。
【００１７】
この電子スチルカメラは図１、図２及び図３に示す如く、被写体を撮像する機器本体１０と、この機器本体１０に対して電源を供給するバッテリパック５０とを備える。この機器本体１０は携帯可能な大きさの略矩形状に形成し、この機器本体１０には図２に示す如くその前面部に、被写体を撮像する例えばＣＣＤ素子を用いる撮像部１１が設けられている。また、この機器本体１０の前面部には、撮像部１１の近傍に、暗い環境でも被写体を撮像できるように赤外線ライト１２が配設されている。
【００１８】
また、撮像部１１が設けられた前面部と対向する背面部には、図３に示す如くビューファインダ１３が配設されると共に表示手段としての例えばカラー表示構成の液晶表示パネル１６が配設される。
【００１９】
このビューファインダ１３は、利用者が接眼することで、撮影中の被写体を見ることができ、液晶表示パネル１６には、撮影中の被写体の外、再生画像、セットアップ時の表示、バッテリ残量の残時間表示等が表示される如くなされている。
【００２０】
この機器本体１０にはメモリスティック等の記録媒体を収納する記録媒体収納部が設けられると共にこの機器本体１０の電源となるバッテリパック５０が着脱可能な状態で装着されるバッテリ装着部が設けられる。このバッテリ装着部には、詳細は後述するが図１に示す如く、バッテリパック５０より電源を供給するためのプラスバッテリ端子１８ａとマイナスバッテリ端子１８ｂとが設けられ、また、バッテリパック５０と送受信を行うための通信端子１９が設けられている。
【００２１】
また、バッテリ装着部に装着されるバッテリパック５０は、図１に示す如くリチウムイオン電池等の充電型のバッテリセル５１が内部に配設され、また機器本体１０に電源を供給するためのプラス端子５６ａとマイナス端子５６ｂと、機器本体１０と送受信を行うため通信端子５７とが設けられている。
【００２２】
この場合、バッテリパック５０は機器本体１０のプラス及びマイナスバッテリ端子１８ａ及び１８ｂと通信端子１９と接続できるように、プラス及びマイナス端子５６ａ及び５６ｂと通信端子５７との端子形状を同一とする。
【００２３】
ここで、機器本体１０のバッテリ装着部には、バッテリパック５０がバッテリ装着部に装着されたとき、バッテリパック５０側のプラス端子５６ａが接続されるプラスバッテリ端子１８ａとバッテリパック５０側のマイナス端子５６ｂが接続されるマイナスバッテリ端子１８ｂとが設けられている。そして、機器本体１０には、プラスバッテリ端子１８ａとバッテリパック５０側のプラス端子５６ａが接続され、マイナスバッテリ端子１８ｂにバッテリパック５０側のマイナス端子５６ｂが接続されることで、電力が供給される。
【００２４】
また、機器本体１０のバッテリ装着部には、バッテリパック５０の送受信を行うための通信端子１９が設けられ、この通信端子１９は、バッテリパック５０側の通信端子５７に接続される。機器本体１０は、バッテリパック５０が装着されたとき、通信端子１９を介してバッファアンプ１９ａで増幅されたバッテリパック５０にバッテリパック５０に関する情報を要求する要求信号を送信し、バッテリパック５０は、機器本体１０からの要求信号に応じてバッテリパック５０に関する情報信号を機器本体１０に送信し、バッファアンプ１９ｂで増幅される。
【００２５】
機器本体１０を構成するマイコン２１は、バッテリパック５０からのバッテリセル５１に関する情報を受信する通信回路２２と、この通信回路２２で受信したバッテリパック５０に関する情報に基づいてバッテリパック５０のバッテリセル５１のバッテリの残量情報を生成する計算回路２３と、この計算回路２３で生成されたバッテリ残量情報に基づいて表示信号を生成する表示制御回路２４とを備える。
【００２６】
バッテリ装着部にバッテリパック５０が装着されると、バッテリ装着部に形成された通信端子１９には、バッテリパック５０側の通信端子５７が接続され、バッテリパック５０に関するバッテリ情報が供給され、このバッテリ情報は、バッファアンプ１９ａ、通信回路２２を介して、マイコン２１を構成する計算回路２３に供給される。
【００２７】
計算回路２３には、バッテリ情報を構成するバッテリパック５０の放電電流に放電時間を乗じた放電電流積算残量とバッテリパック５０内に配設されたバッテリセル５０の温度を示す温度情報が供給される。
【００２８】
また、本例においては計算回路２３には、消費電力情報として、液晶表示パネル１６のバックライトの明るさに応じた複数段階の機器本体の消費電力情報を予め記憶する如くする。例えば液晶表示パネル１６のバックライトが標準の明るさのときの機器本体の消費電力情報Ｐ１、バッテリが明るいときの機器本体の消費電力情報Ｐ２及びバックライトが暗いときの機器本体の消費電力情報をＰ３で予め記憶する如くする。
【００２９】
更に、この計算回路２３には、機器本体１０がカメラモードのとき及びプレイモード（再生モード）のときの夫々消費電力情報を記憶しておく如くする。
【００３０】
ところで、バッテリパック５０のバッテリセル５１を一定消費電力で放電した場合において、放電時間に放電電流の積算量は、図４に示すように、放電時間に略比例している。ここで電子スチルカメラの使用可能な最低電圧（バッテリ終止電圧）を決める。
【００３１】
このバッテリ終止電圧までの時間（残時間）を算出するに際して、バッテリパック５０に内蔵したバッテリセル５１の温度変化を考慮するを可とする。
【００３２】
そして、計算回路２３で生成されたバッテリ終止までの時間（残時間）が表示制御回路２４に供給されると、表示制御回路２４は、バッテリ終止までの時間（残時間）即ちバッテリ残量に基づいて液晶表示パネル１６に表示する残時間情報を生成する。
【００３３】
マイコン２１を構成する制御回路２６は、ビューファインダ１３の撮影者の眼の周辺部が当接される部分に設けられ、撮影者がビューファインダ１３を使用しているか否かを識別する接触センサ１３ａより、撮影者がビューファインダ１３を使用しているか否かの識別情報が供給される。この接触センサ１３ａは、押圧スイッチであり、撮影者がビューファインダ１３に接触し押圧子が押圧されたときオンとなり、撮影者がビューファインダ１３を使用していることを示す識別情報を制御回路２６に供給し、撮影者がビューファインダ１３に接触していないとき、押圧子がオフとなり、撮影者がビューファインダ１３を使用していないことを示す識別情報を制御回路２６に供給する。そして、制御回路２６は、ビューファインダ１３の駆動回路２７への電力供給の切換を行う切換スイッチ３２のオンオフを制御する。
【００３４】
また、制御回路２６には、撮影者が液晶表示パネル１６を使用しているか否かの識別情報が供給される。そして、制御回路２６は、液晶表示パネル１６の駆動回路２８への電力供給の切換を行う切換スイッチ３３のオンオフを制御する。
【００３５】
更に、制御回路２６は、赤外線ライト１２のオンオフを入力操作するための例えば押圧操作型ボタンよりなる操作部３１より赤外線ライト１２を駆動する操作信号が供給される。そして、制御回路２６は、赤外線ライト１２を駆動する操作信号が供給されると、制御回路２６は、赤外線ライト１２の電力供給の切換を行う切換スイッチ３４のオンオフを制御する。
【００３６】
ＤＣ／ＤＣコンバータ２９は、バッテリ装着部に設けられたプラス及びマイナスバッテリ端子１８ａ及び１８ｂに接続され、バッテリパック５０から電源が供給される。そして、ＤＣ／ＤＣコンバータ２９は、ビューファインダ１３の駆動回路２７に接続され、駆動回路２７のオンオフの切換を行う切換スイッチ３２に接続されている。ＤＣ／ＤＣコンバータ２９は、制御回路２６によりオンオフが制御された切換スイッチ３２がオンのとき、駆動回路２７に電力を供給し、ビューファインダ１３を使用可能状態にする。
【００３７】
また、ＤＣ／ＤＣコンバータ２９は、液晶表示パネル１６の駆動回路２８に接続され、駆動回路２８のオンオフの切換を行う切換スイッチ３３に接続されている。ＤＣ／ＤＣコンバータ２９は、制御回路２６によりオンオフが制御された切換スイッチ３３がオンのとき、駆動回路２８に電力を供給し、液晶表示パネル１６を使用可能状態にする。
【００３８】
更に、ＤＣ／ＤＣコンバータ２９は、赤外線ライト１２に接続され、赤外線ライト１２のオンオフの切換を行う切換スイッチ３４に接続されている。そして、ＤＣ／ＤＣコンバータ２９は、制御回路２６に操作部３１より赤外線ライト１２を使用することを示す操作信号が供給されると、切換スイッチ３４をオン状態にし、赤外線ライト１２に電力を供給し、暗い環境での撮影を可能にする。また、ＤＣ／ＤＣコンバータ２９は、制御回路２６に操作部３１より赤外線ライト１２を使用しないことを示す操作信号が供給されると、切換スイッチ３４をオフ状態にする。
【００３９】
液晶表示パネル１６は、図５に示すように、表示画面３５に、上述したマイコン２１を構成する表示制御回路２４で生成されたバッテリ終止までの時間（残時間）（Ｒ）、すなわちバッテリ残量表示情報に基づいてバッテリ残量の残時間表示をする。すなわち、表示画面３５には、残り使用可能時間例えば６０分を数字等で示す残時間表示をする。
【００４０】
以上のような機器本体１０のバッテリ装着部に装着され、機器本体１０に電力を供給するバッテリパック５０は、図１及び図６に示すように、複数のセルが並列接続されたバッテリセル５１と、バッテリセル５１の端子間電圧を検出する電圧検出回路５２と、バッテリセル５１の温度を検出する温度検出センサ５３と、バッテリセル５１の充放電電流を検出する充放電電流検出回路５４と、電圧検出回路５２、温度検出センサ５３及び充放電電流検出回路５４からの信号に応じてバッテリパック５０に関するバッテリ情報を生成するマイコン５５とを備える。
【００４１】
このバッテリパック５０は、図１に示すように、機器本体１０のバッテリ装着部に嵌合される嵌合部に形成されたプラス端子５６ａとマイナス端子５６ｂとが設けられ、嵌合部がバッテリ装着部に嵌合され、プラス端子５６ａが機器本体１０のバッテリ装着部に設けられたプラスバッテリ端子１８ａに接続され、マイナス端子５６ｂがバッテリ装着部に設けられたマイナスバッテリ端子１８ｂに接続されることで、機器本体１０に電力を供給する。また、バッテリパック５０のこれらプラス端子５６ａとマイナス端子５６ｂとが設けられた嵌合部には、機器本体１０とバッテリパック５０に関するバッテリ情報の通信を行うための通信端子５７が設けられており、この通信端子５７は、嵌合部がバッテリ装着部に嵌合されたとき、機器本体１０のバッテリ装着部に設けられた通信端子１９に接続される。
【００４２】
バッテリパック５０は、機器本体１０のバッテリ装着部に装着されたとき、通信端子１９，５７を介して機器本体１０より送信された要求信号がバッファアンプ５７ａで増幅された後マイコン５５に供給され、マイコン５５は、この要求信号に応じてバッテリパック５０に関するバッテリ情報をバッファアンプ５７ｂで増幅した後、通信端子５７，１９を介して機器本体１０のマイコン２１に供給する。
【００４３】
このようなバッテリパック５０のバッテリセル５１の端子間電圧を検出する電圧検出回路５２は、図６に示すように、抵抗器５８，５９からなる分圧抵抗器であり、この分圧抵抗器によりバッテリセル５１の端子間電圧を検出する。電圧検出回路５２は、バッテリセル５１の端子間電圧を検出すると、電圧検出値をマイコン５５の電圧検出入力端子に供給する。
【００４４】
温度検出センサ５３は、例えば温度検出用サーミスタからなり、バッテリセル５１に近傍或いは接して配設されている。温度検出センサ５３は、バッテリセル５１の温度を検出すると、温度検出値をマイコン５５の温度検出入力端子に供給する。
【００４５】
また、バッテリセル５１の充放電電流を検出する充放電電流検出回路５４は、図６に示すように、充電電流検出用のオペアンプ６１と放電電流検出用のオペアンプ６２を備えている。
【００４６】
充電電流検出用のオペアンプ６１の非反転入力端子は、抵抗器６３を介してバッテリセル５１の負極と接続され、反転入力端子は、増幅率設定用の負帰還抵抗器６５を介してオペアンプ６１の出力端子に接続されると共にこの反転入力端子は、抵抗器６６及び電流電圧検出用の抵抗器６４を介してバッテリセル５１の負極と接続されている。また、オペアンプ６１の出力端子は、マイコン５５の充電電流検出入力端子に接続されている。したがって、充電電流検出用のオペアンプ６１は、出力端子から充電時にバッテリパック５０内に流れる電流値を抵抗器６５，６６の抵抗値の比（抵抗器６５の抵抗値／抵抗器６６の抵抗値）に応じて増幅した電圧値を出力する。
【００４７】
また、放電電流検出用のオペアンプ６２の非反転入力端子は、抵抗器６７と電流電圧検出用の抵抗器６４を介してバッテリセル５１の負極と接続され、反転入力端子は、負帰還抵抗器６８を介してオペアンプ６２の出力端子に接続されると共にこの反転入力端子は、抵抗器６９を介してバッテリセル５１の負極と接続されている。また、オペアンプ６２の出力端子は、マイコン５５の放電電流検出入力端子に接続されている。したがって、放電電流検出用のオペアンプ６２は、出力端子から放電時にバッテリパック５０内に流れる電流値を抵抗器６８，６９の抵抗値の比（抵抗器６８の抵抗値／抵抗器６９の抵抗値）に応じて増幅した電圧値を出力する。
【００４８】
そして、以上のような電圧検出回路５２、温度検出センサ５３及び充放電電流検出回路５４からの信号に応じてバッテリパック５０に関する情報を生成するマイコン５５は、電圧検出回路５２、温度検出センサ５３及び充放電電流検出回路５４からの信号が入力され、バッテリパック５０に関する情報を生成する情報生成回路７１と、情報生成回路７１で生成されたバッテリパック５０に関する情報を送信する通信回路７３とを有する。
【００４９】
情報生成回路７１には、充電電流検出用のオペアンプ６１と放電電流検出用のオペアンプ６２より電圧値が入力される。情報生成回路７１は、充電電流検出用のオペアンプ６１より充電電流検出入力端子に入力される充電時の電圧値と放電電流検出用のオペアンプ６２より放電電流検出入力端子に入力される放電時の電圧値のレベルを検出し、これら充放電時の電圧値と抵抗器６４の抵抗値に基づいて充放電電流情報を生成している。
【００５０】
また、情報生成回路７１は、充電時間と放電時間を計数するタイマ７４を有している。そして、情報生成回路７１は、放電電流情報にタイマ７４で計数された放電時間を乗することで、放電電流積算残量を生成する。また、情報生成回路７１には、電圧検出回路５２から電圧検出入力端子に供給され、また、温度検出センサ５３から温度検出入力端子に供給された温度検出値が供給される。そして、情報生成回路７１は、温度検出値に基づいて温度依存係数を生成する。
【００５１】
なお、バッテリパック５０は、不揮発性メモリ７６を備える。不揮発性メモリ７６は、ＥＥＰ−ＲＯＭからなり、バッテリセル５１の使用可能な最大充放電サイクル回数のデータ（サイクルデータ）を記憶している。情報生成回路７１は、不揮発性メモリ７６からの最大充放電サイクル回数のデータ（サイクルデータ）と電圧検出回路５２からの検出電圧に基づいて、バッテリセル５１の充放電サイクル回数を計測し、バッテリセル５１の充放電サイクル回数が最大充放電サイクル回数に達したときに、電池寿命情報を機器本体１０のマイコン２１に送信する。
【００５２】
そして、機器本体１０の液晶表示パネル１６は、バッテリパック５０から伝送されてきた電池寿命情報を受信すると、例えばバッテリパック５０の交換を利用者に促すための表示を行う。例えば液晶表示パネル１６には、「このバッテリは古くなりました、取りかえて下さい」といった表示がされる。これにより、撮影者等の利用者は、簡単にバッテリパック５０の製品寿命を認識することができる。
【００５３】
通信回路７３は、バッテリパック５０がバッテリ装着部に装着されると、情報生成回路７１より供給された充放電電流積算値、温度検出値、許容負荷電力情報等のバッテリパック５０に関するバッテリ情報を機器本体１０のマイコン２１に送信する。
【００５４】
なお、マイコン５５は、マイコン電源７５より電源が供給されることで駆動される。
【００５５】
また本例においては、図１に示す如く、充電手段であるＡＣパワーアダプタ４０を接続することによりバッテリパック５０のバッテリセル５１を充電できる如くする。
【００５６】
即ちマイコン２１の電源端子とプラスバッテリ端子１８ａとの間に制御回路２６によりオン・オフ制御される接続スイッチ４１を接続すると共に充電手段を構成するＡＣパワーアダプタ４０の定電圧である出力充電電圧をこの接続スイッチ４１及びマイコン２１の電源端子の接続点に供給し、バッテリパック５０のバッテリセル５１を定電圧充電するときには、この機器本体１０の装着部にバッテリパック５０を接続した状態で接続スイッチ４１をオンとする。
【００５７】
またこのとき、このバッテリパック５０のバッテリセル５１をトリクル充電するときにはこの接続スイッチ４１を制御回路２６よりの信号により所定周期でオン・オフを繰り返す如くする。
【００５８】
即ち、本例において、バッテリパック５０のバッテリセル５１をＡＣパワーアダプタ４０を使用して充電するときには図７に示す如きフローチャートに従って行う。
【００５９】
まず、ＡＣパワーアダプタ４０を挿入すると共に接続スイッチ４１をオンとして本体内に定電圧充電を開始する（ステップＳ１）と共にバッテリパック５０と機器本体１０との充電情報の通信を開始する（ステップＳ２）。
【００６０】
次に、制御回路２６は、通信による充電情報によりバッテリパック５０のバッテリセル５１は満充電に近いかどうかを判断し（ステップＳ３）、満充電に近くないときはこの定電流充電を継続し、この制御回路２６が通信による充電情報によりこのバッテリパック５０のバッテリセル５１が満充電に近いと判断したときには制御回路２６は接続スイッチ４１を所定周期でオン・オフし、トリクル充電を行う（ステップＳ４）。
【００６１】
次に、接続回路２６は通信による充電情報によりバッテリパック５０のバッテリセル５１を満充電になったかどうかを判断し（ステップＳ５）、満充電になっていないときは、このトリクル充電を継続し、満充電となったときには、制御回路２６は接続スイッチ４１をオフとし充電を終了すると共にバッテリパック５０との通信を終了する（ステップＳ６）。このとき満充電の表示を、消費電力を小さくするため、この電子スチルカメラに設けた小表示装置に表示する如くする（ステップＳ７）。
【００６２】
本例によれば制御回路（演算手段）２６がバッテリパック５０より受信した充放電電流情報に基づいて、バッテリセル５１が満充電近傍になったことを検出して充電モードを定電圧充電モードよりトリクル充電モードに変更し、このバッテリセル５１が満充電になったことを検出して、このＡＣパワーアダプタ４０よりの充電を停止すると共に通信も停止するので、余分な負荷をかけることなくこのバッテリセル５１は満充電の後は充電されず、このバッテリセル５１の寿命を延ばすことができる。
【００６３】
また本例において、この電子スチルカメラのバッテリパック５０のバッテリ残量の残時間表示は、図８に示す如きフローチャートに従って行う如くする。
【００６４】
先ず、利用者（ユーザー）が電子スチルカメラのモード（カメラモード、プレイモード等）を選択する（ステップＳ１０）。次にこの電子スチルカメラのモードがカメラモードであるかどうかを判断する（ステップＳ１１）。
【００６５】
カメラモードと判断されたときは計算回路２３においては、予め記憶されているカメラモードの消費電力情報を使用して以後の計算を行う如くする（ステップＳ１２）。このステップＳ１１において、プレイモードであると判断されたときは、この計算回路２３においては、予め記憶されているプレイモードの消費電力情報を使用して以後の計算を行う如くする（ステップＳ１３）。
【００６６】
次に液晶表示パネル１６のバックライトの明るさが標準であるかどうかを判断する（ステップＳ１４）。この液晶表示パネル１６のバックライトの明るさが標準のときは、この計算回路２３においては、予め記憶されているバックライトが標準の明るさのときの機器本体の消費電力情報Ｐ１を使用し以後の計算を行う如くする（ステップＳ１５）。
【００６７】
液晶表示パネル１６のバックライトの明るさが標準ではないときは、この液晶表示パネル１６のバックライトが明るいのかどうかを判断する（ステップＳ１６）。この液晶表示パネル１６のバックライトが明るいときには、この計算回路２３においては、予め記憶されているバックライトが明るいときの機器本体の消費電力情報Ｐ２を使用し以後の計算を行う如くする（ステップＳ１７）。またこの液晶表示パネル１６のバックライトが暗いときには、この計算回路２３においては、予め記憶されているバックライトが暗いときの機器本体の消費電力情報Ｐ３を使用し、以後の計算を行う如くする（ステップＳ１８）。
【００６８】
次にステップＳ１９に移行し、計算回路２３においてステップＳ１２又はステップＳ１３で計算した消費電力情報と、ステップＳ１５、ステップＳ１７又はステップＳ１８で計算した消費電力情報とから、電子スチルカメラのトータルの消費電力情報を計算し、このトータルの消費電力情報とバッテリパック５０より通信により得られるバッテリセル５１の充放電電流情報により、バッテリ残量の残時間表示を図５に示す如く液晶表示パネル１６に行う如くする。
【００６９】
斯る本例によれば、バッテリパック５０のバッテリセル５１の満充電の充電容量値を安定にできると共に電子スチルカメラの液晶表示パネル１６のバックライトの明るさに応じ、また電子スチルカメラのモードに応じて、バッテリ残量の残時間表示を変更するようにしているので、このバッテリパック５０のバッテリセル５１のバッテリ残量の残時間表示をより正確に行うことができる利益がある。
【００７０】
また、図９は本例電子スチルカメラの上面図を示し、本例においては、モードダイヤル８１で例えば５つのモードが選択できる如くなされている。即ちモードマーク８１ａが指示マーク８２に対応して実行させたときは、夜間のカメラモードとなり、モードマーク８１ｂが指示マークに対応して実行させたときは、マニアルカメラモードとなり、モードマーク８１ｃが指示マーク８２に対応して実行させたときは自動カメラモードとなる。図９においてはこの自動カメラモードが選択されている。
【００７１】
また、モードマーク８１ｄが指示マーク８２に対応して実行させたときは、プレイモードとなりモードマーク８１ｅが指示マーク８２に対応して実行させるときは動画モードとなる。
【００７２】
また、本例において、液晶表示パネル１６にバッテリ残量の残時間表示を行うときには、設定スイッチにより図１０に示す如く例えば設定２をカーソル８３を移動させ設定（設定２でなくても良い）し、この設定スイッチを操作して図１０Ａ→図１０Ｂ→図１０Ｃ→図１０Ｄ→図１０Ｅに示す如く、このカーソルで残量表示項目を選択し、この設定スイッチにより、図５に示す如く１モード表示するのか図１１に示す如く３モード表示できるかを選択する如くする。
【００７３】
本例においては、図１１に示す如く３モード表示を選択する。この場合、モードダイヤル８１により図９に示す如く自動カメラモードであるモードマーク８１ｃを選択したときには、中央に図１１に示す如く自動カメラモードのときのバッテリ残量の残時間表示８４ｃとその左及び右にマニアルカメラモード及びプレイモードのときバッテリ残量の残時間表示８４ｂ及び８４ｄを表示する如くする。
【００７４】
尚上述例は、本発明を電子スチルカメラに適用した例につき述べたが、本発明はその他のバッテリ残量表示機能付き電子機器に適用できることは勿論である。
【００７５】
また、本発明の上述実施例に限らず本発明の要旨を逸脱することなく、その他種々の構成が採りうることは勿論である。
【図面の簡単な説明】
【００７６】
【図１】本発明バッテリ残量情報表示機能付き電子機器の実施の形態の例を示す構成図である。
【図２】電子スチルカメラの例の正面図である。
【図３】電子スチルカメラの例の背面図である。
【図４】本発明の説明に供する線図である。
【図５】バッテリ残量の残時間表示の例を示す線図である。
【図６】バッテリパックの具体的例を示す構成図である。
【図７】バッテリパックのバッテリセルの充電側を示すフローチャートである。
【図８】バッテリパックのバッテリセルのバッテリ残量の残時間表示の例を示すフローチャートである。
【図９】電子スチルカメラの例の上面図である。
【図１０】電子スチルカメラの例の説明に供する線図である。
【図１１】バッテリ残量の残時間表示の例を示す線図である。
【符号の説明】
【００７７】
１０‥‥機器本体、１１‥‥撮像部、１３‥‥ビューファインダ、１６‥‥液晶表示パネル、１８ａ‥‥プラスバッテリ端子、１８ｂ‥‥マイナスバッテリ端子、１９‥‥通信端子、２１‥‥マイコン、２３‥‥計算回路、４０‥‥ＡＣパワーアダプタ、４１‥‥接続スイッチ、５０‥‥バッテリパック、５１‥‥バッテリセル、５５‥‥マイコン、５６ａ‥‥プラス端子、５６ｂ‥‥マイナスバッテリ端子、５７‥‥通信端子
【図１】
2007020203.tif 000003
【図２】
2007020203.tif 000004
【図３】
2007020203.tif 000005
【図４】
2007020203.tif 000006
【図５】
2007020203.tif 000007
【図６】
2007020203.tif 000008
【図７】
2007020203.tif 000009
【図８】
2007020203.tif 000010
【図９】
2007020203.tif 000011
【図１０】
2007020203.tif 000012
【図１１】
2007020203.tif 000013